(57)【要約】  【課題】スクリードの振動の影響を作業者が受け難い構造を得る。  【解決手段】スクリード１３が上下方向に振動すると、吊り上げ部材２０とスクリード１３、及び、吊り上げ部材２０と支持ブラケット１７との間が互いに回転して、支持ブラケット１７に対するスクリード１３の回転が得られると共に、スクリード１３と支持ブラケット１７との間に於ける弾性体２４の伸縮を伴いながら係合ピン１９が長穴１８内を上下方向に移動して支持ブラケット１７の位置をその位置に留め、スクリード１３から支持ブラケット１７に伝わる振動を規制するようにした。【選択図】図４
2005248578.tif 000002
【特許請求の範囲】
【請求項１】
車体の両側から後方に向けて左右一対のレベリングアームを延出し、該レベリングアームの後端間にスクリードを装着した舗装機械に於いて、
前記スクリードの後部に設けられた係合ピンと、
前端側に上下方向に細長く延びる長穴を有し、且つ、該長穴を前記係合ピンと上下方向に摺動自在に係合させると共に、後端側を該スクリードの後方に向けて延設した支持ブラケットと、
前記スクリードから離反して前記支持ブラケットに取り付けられた作業用ステップと、
前記スクリードと前記支持ブラケットの前端側との間に設けられ、前記支持ブラケットに上下一方向の押圧力を常に付与している伸縮自在な弾性体と、
一端側が前記支持ブラケットの中間部分に回転可能に取り付けられていると共に、他端側が支持ブラケットの上方で前記スクリードに回転可能に取り付けられ、前記支持ブラケットの後端側を吊り上げて前記支持ブラケットを略水平な姿勢で保持している吊り上げ部材とを備え、
前記スクリードの上下方向の振動を前記弾性体の伸縮と前記支持ブラケットに対する前記吊り上げ部材の回転で、該スクリードに対する前記支持ブラケットの上下方向の回転を規制するようにしたことを特徴とする舗装機械に於ける作業用ステップの支持装置。
【請求項２】
上記作業用ステップと上記支持ブラケットとの間に伸縮自在に設けられ、前記支持ブラケットに対する前記作業用ステップの上下方向の振動を前記伸縮により吸収する補助制振部材を設けた請求項１記載の舗装機械に於ける作業用ステップの支持装置。
【発明の詳細な説明】
【技術分野】
【０００１】
本発明は舗装機械の作業用ステップの支持装置に関するものであり、特に、スクリードの後部に設けられる作業用ステップの支持装置に関するものである。
【背景技術】
【０００２】
従来、此種舗装機械は、車体の前部にアスファルト合材を受け入れるホッパを配設し、車体の両側から後方に向けてレベリングアームを延出し、該レベリングアームの後端にスクリードの外側面を装着している。又、スクリードの後部に作業用ステップを固設し、作業者が該ステップに乗って舗装状態を見ながら作業を行えるように形成されている（例えば、特許文献１参照）。
【特許文献１】特開平１１−１４０８１６号公報。
【発明の開示】
【発明が解決しようとする課題】
【０００３】
一般に、舗装機械はアスファルト合材の締め固めを向上するため、スクリードに振動を与えながら敷き均し作業を行っている。従来のステップは、スクリードの後部に固設されているため、振動が作業用ステップに伝わって作業者はその振動を直接受けることになり、該振動が作業者の体に疲労を与えて長時間の作業は困難である。
【０００４】
そこで、スクリードの振動の影響を作業者が受け難い作業用ステップの支持装置を提供するために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、車体の両側から後方に向けて左右一対のレベリングアームを延出し、該レベリングアームの後端間にスクリードを装着した舗装機械に於いて、前記スクリードの後部に設けられた係合ピンと、前端側に上下方向に細長く延びる長穴を有し、且つ、該長穴を前記係合ピンと上下方向に摺動自在に係合させると共に、後端側を該スクリードの後方に向けて延設した支持ブラケットと、前記スクリードから離反して前記支持ブラケットに取り付けられた作業用ステップと、前記スクリードと前記支持ブラケットの前端側との間に設けられ、前記支持ブラケットに上下一方向の押圧力を常に付与している伸縮自在な弾性体と、一端側が前記支持ブラケットの中間部分に回転可能に取り付けられていると共に、他端側が支持ブラケットの上方で前記スクリードに回転可能に取り付けられ、前記支持ブラケットの後端側を吊り上げて前記支持ブラケットを略水平な姿勢で保持している吊り上げ部材とを備え、前記スクリードの上下方向の振動を前記弾性体の伸縮と前記支持ブラケットに対する前記吊り上げ部材の回転で、該スクリードに対する前記支持ブラケットの上下方向の回転を規制するようにした舗装機械に於ける作業用ステップの支持装置を提供する。
【０００６】
スクリードが上下方向に振動すると、吊り上げ部材とスクリード、及び、吊り上げ部材と支持ブラケットとの間が互いに回転して、支持ブラケットに対するスクリードの回転が得られると共に、スクリードと支持ブラケットとの間に於ける弾性体の伸縮を伴いながら係合ピンが長穴内を上下方向に移動する。従って、支持ブラケットに対してスクリードが上下方向に移動することによって支持ブラケットの位置をその位置に留め、スクリードから支持ブラケットに伝わる振動を規制する。従って、スクリードから離反して支持ブラケットに配置されている作業用ステップの振動も支持ブラケットと共に規制される。
【０００７】
請求項２記載の発明は、上記作業用ステップと上記支持ブラケットとの間に伸縮自在に設けられ、前記支持ブラケットに対する前記作業用ステップの上下方向の振動を前記伸縮により吸収する補助制振部材を設けた請求項１記載の舗装機械に於ける作業用ステップの支持装置を提供する。
【０００８】
スクリードと支持ブラケットとの間に設けてある弾性体に加えて、支持ブラケットと作業用ステップとの間にも補助制振部材を設けている。この補助制振部材では、スクリード側からの振動がスクリードと支持ブラケットとの間の弾性体で規制し切れずに支持ブラケット側に伝達されたとき、該支持ブラケット側に伝達された振動は、支持ブラケットと作業用ステップとの間に設けてある補助制振部材の伸縮により吸収される。従って、スクリード側からの振動は、スクリードと支持ブラケットとの間に設けてある弾性体と、支持ブラケットと作業用ステップとの間に設けてある補助制振部材の、両方の部材で吸収されて低減されることになる。
【発明の効果】
【０００９】
請求項１記載の発明は、スクリードが上下方向に振動するとき、支持ブラケットはその位置に留められ、スクリードだけが上下方向に移動してスクリードから支持ブラケットに伝わる振動を規制するので、スクリードから作業用ステップに伝わる振動を低減することができる。従って、作業用ステップに乗っている作業者は、スクリードの振動を受け難く、振動による作業者の疲労を防止でき、長時間の作業も可能となる。又、複雑な防振装置が不要であり、簡素な構成で安価に振動を防止できる。
【００１０】
請求項２記載の発明は、スクリードと支持ブラケットとの間に設けてある弾性体による振動の吸収に加えて、支持ブラケットと作業用ステップとの間に設けてある補助制振部材による振動の吸収も得られるので、請求項１記載の発明の効果に加えて、作業用ステップに乗っている作業者は、更にスクリードの振動を受け難くなる。
【発明を実施するための最良の形態】
【００１１】
以下、本発明の一実施の形態を図面に従って詳述する。スクリードの振動の影響を作業者が受け難くするという目的を、スクリードが上下方向に振動すると、吊り上げ部材とスクリード、及び、吊り上げ部材と支持ブラケットとの間が互いに回転して、支持ブラケットに対するスクリードの回転が得られると共に、スクリードと支持ブラケットとの間に於ける弾性体の伸縮を伴いながら係合ピンが長穴内を上下方向に移動して支持ブラケットの位置をその位置に留めることによって実現した。
【００１２】
図１乃至図３は舗装機械の一例として、アスファルトフィニッシャ１０を示し、車体１１の前部にホッパ１２が配置され、該ホッパ１２に投入されたアスファルト合材はバーコンベヤ（図示せず）により後方へ搬送され、車体１１の後部から路面へ撒布されてスクリード１３により均等な厚さに敷き均される。符号１４は左右の駆動輪であり、該駆動輪１４は油圧モータ（図示せず）によって駆動される。
【００１３】
車体１１の左右両側からは後方に向けてそれぞれレベリングアーム１５を延出し、該左右一対のレベリングアーム１５の後端間にスクリード１３の外側面を装着してある。又、該スクリード１３の後部には、該スクリード１３の左右両側に設けてある左右一対の支持ブラケット１７，１７を介して作業用ステップ１６が取り付けられている。
【００１４】
図４乃至図７は、スクリード１３に支持ブラケット１７を介して作業用ステップ１６を取り付けている構造の詳細を示す。尚、説明を簡略化するために片側（左側面側）の構造だけを示している。
【００１５】
図４乃至図７に示す作業用ステップの支持構造では、支持ブラケット１７は細長い板状部材で作られている。該支持ブラケット１７の前端１７ａ側には、上下方向に細長く延びる長穴１８が設けられており、該長穴１８に軸状をした係合ピン１９を係合させ、この係合された係合ピン１９をスクリード１３の側面に固定することによって、該支持ブラケット１７がスクリード１３に対して上下方向に摺動並びに回転可能に取り付けられている。又、支持ブラケット１７の中間部分は吊り上げ部材２０で吊られ、該支持ブラケット１７の全体が前後方向に略水平に延設した状態で保持されている。
【００１６】
尚、吊り上げ部材２０の下端２０ａ側は支持ブラケット１７の側面に係合軸２１を用いて回転自在に取り付けられ、上端２０ｂ側はスクリード１３の側面に係合軸２２を用いて回転自在に取り付けられている。又、符号２６はスペーサで、吊り上げ部材２０の上端２０ｂとスクリード１３との間の隙間を埋めるものである。
【００１７】
又、支持ブラケット１７の前端１７ａ側の上部には、該支持ブラケット１７の側面から外方に向かって直角に延びるようにして水平板部１７ｃが設けられている。尚、該水平板部１７ｃの上方に於いて、スクリード１３の側面には、該スクリード１３の側面から外側に向かって該水平板部１７ｃと平行に延びるようにして水平板２３が固設されている。そして、該水平板２３の下面と水平板部１７ｃの上面との間に、弾性体２４を圧縮した状態で介装している。従って、支持ブラケット１７の前端１７ａ側は、通常、弾性体２４の押圧力で下側に押され、長穴１８の上端が係合ピン１９と係合した状態で位置決めされている。ここでの弾性体２４は、例えばコイルスプリング、或いは、剛性の低い防振ゴムである。
一方、支持ブラケット１７の後端１７ｂ側の上部には、水平板部１７ｄが支持ブラケット１７の上部側面から内方に向かって直角に延設されている。又、該水平板部１７ｄ上には、補助制振部材２５を介して作業用ステップ１６がスクリード１３から離反させた状態で取り付けられている。ここでの補助制振部材２５は、弾性体２４と同様、例えばコイルスプリング、或いは、剛性の低い防振ゴムである。
【００１８】
次に、このように構成された作業用ステップの支持構造の動作を説明する。スクリード１３が上下に振動すると、吊り上げ部材２０とスクリード１３、及び吊り上げ部材２０と支持ブラケット１７との間が互いに回転して、支持ブラケット１７に対するスクリード１３の回転が得られると共に、スクリード１３と支持ブラケット１７との間に於ける弾性体２４の伸縮を伴いながら係合ピン１９が長穴１８内を上下方向に移動する。従って、支持ブラケット１７に対してスクリード１３が上下方向に移動することにより、支持ブラケット１７の位置をその位置に留め、スクリード１３から支持ブラケット１７に伝わる振動を規制する。従って、スクリード１３から離反して支持ブラケット１７に配置されている作業用ステップ１６の振動も支持ブラケット１７と共に規制され、スクリード１３側から作業用ステップ１６側に伝わる振動を抑える。
【００１９】
又、補助制振部材２５は、スクリード１３側からの振動が弾性体２４で規制し切れずに支持ブラケット１７が振動したとき、支持ブラケット１７の振動に伴って伸縮する。そして、この補助制振部材２５の伸縮で支持ブラケット１７の振動を吸収し、支持ブラケット１７から作業用ステップ１６に伝わる振動を抑える。
【００２０】
従って、このように構成された舗装機械では、スクリード１３が上下方向に振動するとき、支持ブラケット１７はその位置に留められ、スクリード１３だけが上下方向に移動してスクリード１３から支持ブラケット１７に伝わる振動を規制するので、スクリード１３から作業用ステップ１６に伝わる振動を低減することができる。これにより、作業用ステップ１６に乗っている作業者は、スクリード１３の振動を受け難く、振動による作業者の疲労を防止でき、長時間の作業も可能となる。又、複雑な防振装置が不要であり、簡素な構成で安価に振動を防止できる。
【００２１】
尚、本実施例の構造では、支持ブラケット１７と作業用ステップ１６との間に補助制振部材２５を設けた構造を開示したが、この補助部材は必ずしも必要なものではないが、補助制振部材２５を設けた場合には、スクリード１３側からの振動は弾性体２４と補助制振部材２５の両方の部材で吸収されることになり、更に振動の低減が図れる。
【００２２】
又、本発明は、本発明の精神を逸脱しない限り種々の改変を為すことができ、そして、本発明が該改変されたものに及ぶことは当然である。
【図面の簡単な説明】
【００２３】
【図１】作業用ステップを取り付けたアスファルトフィニッシャの側面図。
【図２】作業用ステップを取り付けたアスファルトフィニッシャの平面図。
【図３】作業用ステップを取り付けたアスファルトフィニッシャの背面図。
【図４】作業用ステップ支持構造の斜視図。
【図５】作業用ステップ支持構造の側面図。
【図６】作業用ステップ支持構造の上面図。
【図７】図６のＡ−Ａ断面矢視図。
【符号の説明】
【００２４】
１０            アスファルトフィニッシャ
１１            車体
１３            スクリード
１５            レベリングアーム
１６            作業用ステップ
１７            支持ブラケット
１７ａ          前端
１７ｂ          後端
１８            長穴
１９            係合ピン
２０            吊り上げ部材
２４            弾性体
２５            補助制振部材
【図１】
2005248578.tif 000003
【図２】
2005248578.tif 000004
【図３】
2005248578.tif 000005
【図４】
2005248578.tif 000006
【図５】
2005248578.tif 000007
【図６】
2005248578.tif 000008
【図７】
2005248578.tif 000009